(57)【要約】【課題】非線形光学結晶が湿度で劣化しないようにして、レーザ装置が長期にわたり安定した状態でレーザ発振できるようにする。【解決手段】固体レーザ装置のポンピングチャンバーユニット（３）から出射された１０６４ｎｍの基本波レーザ光は、第１の非線形光学結晶ユニットに入射し、第１の非線形光学結晶ユニット（２０）により２倍波に変換されて出射する。基本波レーザ光と第２高調波が、第２の非線形光学結晶ユニットに入射する。第３高調波（角振動数３ω）あるいは第４高調波（角振動数４ω）に変換され、出力窓（３４）からレーザ光が出力される。非線形光学結晶ユニット（２０）（３０）を、内部表面に撥水処理が施された密閉セルに収容する。非線形光学結晶を外気と隔離してドライな雰囲気に保つため、結晶の潮解を防ぎ、損傷を低減することができる。【選択図】      図１
2004317566.tif 000002
【特許請求の範囲】
【請求項１】
レーザ光源から発せられたレーザ光の基本波から高調波を発生する非線形光学結晶を備えたレーザ装置において、レーザ光が通過する貫通孔と、前記貫通孔を覆う窓とを有する密封されたセルを備え、このセル内に前記非線形光学結晶を配設すると共に、このセルの内部表面に撥水処理を施すことを特徴とするレーザ装置。
【請求項２】
前記撥水処理は、フッ素樹脂の皮膜を前記セルの内壁に被着させる処理であることを特徴とする請求項１に記載のレーザ装置。
【請求項３】
前記非線形光学結晶は、ＬＢＯ、ＫＴＰ、ＢＢＯ、ＧｄＹＣＯＢ、ＣＬＢＯのいずれかで構成され、第１ミラーと第２ミラーとで構成される共振器と、Ｎｄ：ＹＡＧ、Ｎｄ：ＹＶＯ４、Ｎｄ：ＹＬＦのいずれかで構成され前記第１ミラーと前記第２ミラーとの間に配置された固体レーザ媒質とを備えたことを特徴とする請求項１または２に記載のレーザ装置。
【請求項４】
前記セルは、前記共振器内または前記共振器外に配置されたことを特徴とする請求項１〜３のいずれかに記載のレーザ装置。
【請求項５】
上記セルの内部は、ドライな不活性ガスで充填されていることを特徴とする請求項１に記載のレーザ装置。
【請求項６】
レーザ光源から発せられたレーザ光の基本波から高調波を発生する非線形光学結晶を備えたレーザ光波長変換装置において、レーザ光が通過する貫通孔と、前記貫通孔を覆う窓とを有する密封されたセルを備え、このセル内に前記非線形光学結晶を配設すると共に、このセルの内部表面に撥水処理を施すことを特徴とするレーザ光波長変換装置。
【請求項７】
前記撥水処理は、フッ素樹脂の皮膜を前記セルの内壁に被着させる処理であることを特徴とする請求項６に記載のレーザ光波長変換装置。
【請求項８】
前記非線形光学結晶は、ＬＢＯ、ＫＴＰ、ＢＢＯ、ＧｄＹＣＯＢ、ＣＬＢＯのいずれかで構成されたことを特徴とする請求項７または８に記載のレーザ光波長変換装置。
【請求項９】
前記セル内を、相対湿度３０％以下に保つことを特徴とする請求項６〜８のいずれかに記載のレーザ光波長変換装置。
【請求項１０】
前記セル内に湿度センサーを設けたことを特徴とする請求項６〜９のいずれかに記載のレーザ光波長変換装置。
【発明の詳細な説明】
【０００１】
【発明の属する技術分野】
本発明は、レーザ装置及びレーザ波長変換装置に関し、特に、波長変換を行う非線形光学結晶の管理を容易に行えるようにしたレーザ装置及びレーザ波長変換装置に関する。
【０００２】
【従来の技術】
短波長レーザ装置は、一般的に、非線形光学結晶による波長変換を用いている。短波長レーザ装置の一種である紫外固体レーザ装置の一般的な構成は、次のようなものである。波長１０６４ｎｍのＮｄ：ＹＡＧレーザ、Ｎｄ：ＹＶＯ４レーザ、Ｎｄ：ＹＬＦレーザなどを基本波レーザ光とする。非線形光学結晶により、第２高調波を発生させる。さらに、第３ないし第４高調波を発生させる。第２高調波発生用結晶として、ＬＢＯ結晶やＫＴＰ結晶が使われている。第３高調波発生用結晶としては、ＬＢＯ結晶やＢＢＯ結晶やＧｄＹＣＯＢ結晶が使われている。第４高調波発生用結晶としては、ＢＢＯ結晶やＣＬＢＯ結晶などが使われている。
【０００３】
これら各非線形光学結晶は、そのほとんどが潮解性を有している。そのため、レーザ装置の長期にわたる使用においては、吸湿による結晶の劣化が生じる。それに伴い、高調波レーザ光のパワーダウンをきたす。しかしながら、特許文献１に示されるように、第２高調波を発生させる非線形光学結晶として、ＫＴＰ結晶を使用し、第３高調波を発生させる非線形光学結晶として、ＢＢＯ結晶を使用しているにもかかわわらず、共振器内の湿度に対して特別な考慮が払われてはいない。
【０００４】
第４高調波発生用の非線形光学結晶ＣＬＢＯは、相対湿度３０％以上で結晶の急激な劣化が見られる。その具体的な対策として、Ｃｒｙｓｔａｌ  Ａｓｓｏｃｉａｔｅｄ  Ｉｎｃ．社の商品化されている結晶セルＭｏｄｅｌ  Ｎｏ．１００３１では、ドライガスをセル内に封じきる方法を採用している。しかしながら、セルを構成する部材の内壁には、僅かとはいえ水分子が付着している。そのため、セルを構成する部材内壁から脱離した水分子が、非線形光学結晶に吸収され、結晶表面でＯＨ基を形成する。レーザ使用時に、第４高調波を吸収して不純物を生成する。それにより、第４高調波の透過率が低下する。結果的に、パワーダウンにつながってしまう。かかる現象は、第３あるいは第２高調波発生用の非線形光学結晶にも現れる。
【０００５】
【特許文献１】
特開平５−１５２６５６号公報
【０００６】
【発明が解決しようとする課題】
しかし、従来の湿度対策方法では、長期にわたる使用における湿度による非線形光学結晶の劣化を防止できないという問題がある。結晶セル内にドライガスを単に封入したものでは、セルの部材内壁に付着した水分の対策がなされていない。セルの封じ構造部に何らかの欠陥が生じた場合の対策もなされていない。長時間の使用により、非線形光学結晶が湿度で劣化することに考慮が払われていない。セル内に湿度対策を施していない状態で、レーザ装置を動作し続けると、水分を吸収した非線形光学結晶が、第４高調波を吸収して不純物を生成する。そのため、第４高調波の透過性が悪くなってしまう。したがって、波長変換効率が急激に悪化し、レーザ出力が著しく減少する。
【０００７】
本発明は、上記従来の問題点を解決して、非線形光学結晶を収容した容器に湿度対策を施し、レーザ装置が長期にわたり安定した状態でレーザ発振できるようにすることを目的とする。
【０００８】
【課題を解決するための手段】
上記の課題を解決するために、本発明では、レーザ光源から発せられたレーザ光の基本波から高調波を発生する非線形光学結晶を備えたレーザ装置に、非線形光学結晶が内部に配設されたセルであって、密閉されて内部表面に撥水処理が施され、レーザ光が通過する貫通孔と、貫通孔を覆う窓とを有するセルを備えた構成とした。
【０００９】
このように構成したことにより、レーザ装置は、長期にわたり安定した状態でレーザ発振できる。すなわち、非線形光学結晶を、密封容器（非線形光学結晶セル）内に収容し、密封容器内壁を、撥水性の皮膜で覆う。密封容器内には、ドライな不活性ガス（Ａｒ，  Ｎ２など）を充填させる。このようにすることにより、長期にわたる使用においても、湿度による非線形光学結晶の劣化を防止できる。
【００１０】
【発明の実施の形態】
以下、本発明の実施の形態について、図１〜図９を参照しながら詳細に説明する。
【００１１】
（実施の形態）
本発明の実施の形態は、ドライな不活性ガスを充填し、内壁を撥水性の皮膜で覆った密封容器内に、非線形光学結晶を収容した固体レーザ装置である。
【００１２】
図１は、本発明の実施の形態における固体レーザ装置の第１実施例の概略図である。レーザ光源として、固体レーザが用いられている。この固体レーザ装置は、波長変換レーザ装置であり、基本波ユニット（Ａ）と、第１波長変換ユニット（Ｂ）と、第２波長変換ユニット（Ｃ）とから成っている。
【００１３】
基本波ユニット（Ａ）は、基本光学ユニットであるミラー（１）と、ミラー（２）と、ポンピングチャンバーユニット（３）と、Ｑスイッチ（４）と、ブリュースター板（５）と、シャッター（６）と、第１の集光レンズ（７）などから構成されている。ミラー（１）とミラー（２）とで、レーザ共振器を構成している。ポンピングチャンバーユニット（３）は、固体レーザ媒質を有する。固体レーザ媒質は、Ｎｄ：ＹＡＧやＮｄ：ＹＶＯ４やＮｄ：ＹＬＦなどであり、半導体レーザダイオードにより励起される。
【００１４】
基本波ユニット（Ａ）はさらに、容器（１３）を有する。容器（１３）は、ケース（１１）と蓋体（１２）とで構成されている。ケース（１１）は、基本波レーザを出力するための窓（１４）を有し、断面がＵ字型であり、基本光学ユニットを構成する部材を収容する。蓋体（１２）は、ケース（１１）の上面を気密に覆う。この容器の内部は、窒素などの不活性ガスが封止されている。ケース（１１）の底部（１１ａ）には、ヒーター（８ａ）（８ｂ）（８ｃ）が適宜埋設されている。容器（１３）内の温度を監視する温度センサー（９）が、ポンピングチャンバーユニット（３）の近傍に配置されている。このセンサーの出力をもとに、温度制御装置（図示せず）を介して、ヒーター（８ａ）（８ｂ）（８ｃ）の温度を制御することにより、容器内を常に所望の温度に保つ。
【００１５】
第１波長変換ユニット（Ｂ）は、第１の非線形光学結晶ユニット（２０）と、第２の集光レンズ（２１）と、分離ミラー（２２）とからなっている。これらの光学部品は、出力窓（２３）を備えた第１波長変換ユニットケース（２４）内に収容されている。第１の非線形光学結晶ユニット（２０）は、ＬＢＯ結晶あるいはＫＴＰ結晶を内蔵している。ＬＢＯ結晶やＫＴＰ結晶は、窓（１４）を通して集光レンズにより集光された基本波レーザ光を、２倍波即ち第２高調波（角振動数２ω）に変換する。分離ミラー（２２）は、基本波と第２高調波を分離する。
【００１６】
第２波長変換ユニット（Ｃ）は、第２の非線形光学結晶ユニット（３０）と、コリメートレンズ（３１）と、分離ミラー（３２）と、第３あるいは第４高調波パワーメータ（３３）とから構成されている。第２の非線形光学結晶ユニット（３０）は、第１波長変換ユニット（Ｂ）からのレーザ光（角振動数２ω）を、第３高調波（角振動数３ω）あるいは第４高調波（角振動数４ω）に変換する。分離ミラー（３２）は、第２高調波と、第３（あるいは第４）高調波とを分離する。第３高調波生成用の非線形光学結晶として、ＬＢＯ結晶や、ＢＢＯ結晶や、ＧｄＹＣＯＢ結晶を用いることができる。第４高調波生成用の非線形光学結晶として、ＢＢＯ結晶やＣＬＢＯ結晶を用いることができる。第２の非線形光学結晶ユニット（３０）と、コリメートレンズ（３１）や、第２高調波と第３（あるいは第４）高調波とを分離するための分離ミラー（３２）や、第４高調波パワーメータ（３３）などの光学部品は、出力窓（３４）を有する第２波長変換ユニットケース（３５）に収容されている。
【００１７】
図２は、本発明の実施の形態における固体レーザ装置の第２実施例であるイントラキャビティー第２高調波レーザ装置の概略図である。この装置には、レーザ光源として、固体レーザが用いられている。この装置は、第２高調波（角振動数２ω）に変換する第１の非線形光学結晶ユニット（２０）およびヒーター８ｄを、レーザ共振器内に収容したイントラキャビティー第２高調波レーザ装置である。
【００１８】
図３は、本発明の実施の形態における固体レーザ装置の第３実施例であるイントラキャビティー第３、第４高調波レーザ装置の概略図である。レーザ光源として、固体レーザが用いられている。第１の非線形光学結晶ユニット（２０）と、レーザ光を第３高調波（角振動数３ω）あるいは第４高調波（角振動数４ω）に変換する第２の非線形光学結晶ユニット（３０）までを、レーザ共振器内に収容したものである。各々の光学構成部品は、図１と同一であるので、詳細な説明を省略する。
【００１９】
図４は、本発明の実施の形態における固体レーザ装置に用いる非線形光学結晶セルの概略断面図である。図１、図２、図３に示した第１の非線形光学結晶ユニット（２０）あるいは第２の非線形光学結晶ユニット（３０）は、このセルを用いるものである。第１または第２の非線形光学結晶ユニットを総称して、単に非線形光学結晶ユニット（ＮＬＵ）と称する。非線形光学結晶ユニット（ＮＬＵ）は、セル本体（４０）と、セル蓋体（５０）とからなっている。セル本体（４０）は、レーザ光の通路となる水平方向の貫通孔（４２）を有する断面Ｕ字状のセルである。セル蓋体（５０）は、セル本体（４０）の開口部（４６）を密閉状態に覆う蓋体である。貫通孔（４２）を形成するセル本体（４０）の中央部に、設置台（４１）が設けられている。この設置台（４１）上に、高調波生成用の非線形光学結晶（４３）が載置されている。非線形光学結晶（４３）は、結晶押え（４４）により、セル本体（４０）に固定されている。
【００２０】
貫通孔（４２）の左右両端には、非線形光学結晶ユニット（ＮＬＵ）を密封する窓（６０ａ）（６０ｂ）がある。これらの窓をセル本体（４０）に固定するための窓押え（７０ａ）（７０ｂ）がある。窓（６０ａ）（６０ｂ）と窓押さえ（７０ａ）（７０ｂ）との間には、Ｏリング（８０ｄ）（８０ｅ）が介在している。窓（６０ａ）（６０ｂ）とセル本体（４０）との間には、Ｏリング（８０ｂ）（８０ｃ）が介在している。セル本体（４０）とセル蓋体（５０）との間には、Ｏリング（８０ａ）が介在している。Ｏリング（８０ａ）（８０ｂ）（８０ｃ）（８０ｄ）（８０ｅ）は、高温に耐え得るものである。ガス放出とガス透過が極めて少なく、シールの長寿命化が可能なデュポンダウエラストマー社製カルレッツ材質のものを使用している。レーザ光の通路に設置されている窓（６０ａ）、（６０ｂ）は、高出力レーザに絶え得る合成石英ガラスもしくはＣａＦ２材質のものを用いている。このように密閉されたユニット（ＮＬＵ）内は、ＡｒやＮ２などの不活性ガスが封入されている。セル本体（４０）には、ユニットを一定の温度に保つためのヒーター（４５）が埋設されている。
【００２１】
設置台（４１）を含むセル本体（４０）の内壁と、このセル本体（４０）の開口部（４６）を密閉状態に覆うセル蓋体（５０）の内壁には、撥水性の皮膜（９０ａ）（９０ｂ）が形成されている。この皮膜（９０ａ）（９０ｂ）の材料は、フッ素樹脂である。無電界メッキ法により、セル本体（４０）の内壁とセル蓋体（５０）の内壁に被着させる。フッ素樹脂として、テフロン（登録商標）を用いることができる。皮膜（９０ａ）（９０ｂ）の形成方法は、皮膜（９０ａ）（９０ｂ）をセルの内壁に密に被着可能なものであれば、メッキに限らず他の方法でも良い。
【００２２】
図５は、図４に示した非線形光学結晶セルのＡ部の拡大図である。セル本体（４０）の内壁と皮膜（９０ａ）の関係を、より詳細に示してある。セル本体（４０）或いはセル蓋体（５０）は、ステンレス（ＳＵＳ３０３）などの金属からなっている。必要に応じて、内壁を電界研磨する。電界研磨した場合でも、まったく表面処理をしていない場合でも、表面には水分子が付着する。セルの内壁を撥水性の皮膜により覆うと、撥水性であるがゆえに、皮膜の表面に吸着している水分は、電界研磨のみの撥水性皮膜なしのものに比べて、水分量は極めて少ない。したがって、セル内は常にドライな状態に保たれ、非線形光学結晶が水分を吸収するのを防止できる。図６は、セルの蓋体概略断面図である。
【００２３】
図７は、湿度測定手段の概略ブロック図である。ユニット（ＮＬＵ）内の湿度センサー（５１）からの出力は、湿度検出回路基板（５３）に設けられた湿度検出増幅回路（５５）を介して、湿度計（５６）に伝達される。湿度検出増幅回路（５５）の出力は、スイッチ（５７）を介して、レーザ装置の動作を遮断するレーザ制御部（５８）に伝達される。湿度センサー（５１）は、高耐久性で、センサー部からのガス放出を防ぐために、ガラス基板上に蒸着されている電気容量型湿度センサー素子を用いている。湿度センサー素子は、貫通孔内の湿度を検出するために、貫通孔を遮らない部位の蓋体一側面に取り付けられている。セル蓋体（５０）との電気絶縁を取るために、湿度センサー素子は、ハーメチックシール端子（５２）を介して、蓋体他側面に設けられた湿度検出回路基板（５３）と接続されている。図８は、セル内湿度の経時変化を示すグラフである。
【００２４】
上記のように構成された本発明の実施の形態における固体レーザ装置の動作を説明する。図１に示す固体レーザ装置では、ポンピングチャンバーユニット（３）から出射された１０６４ｎｍの基本波レーザ光は、第１の集光レンズ（７）により集光され、窓（１４）を介して第１の非線形光学結晶ユニット（２０）に入射する。第１の非線形光学結晶ユニット（２０）に入射した基本波レーザ光の一部は、第１の非線形光学結晶ユニット（２０）により２倍波に変換されて出射する。第２の集光レンズ（２１）から出力窓（２３）を通じて、基本波レーザ光と第２高調波が、第２の非線形光学結晶ユニット（３０）に入射する。その非線形光学結晶により、第１波長変換ユニット（Ｂ）からのレーザ光が、第３高調波（角振動数３ω）あるいは第４高調波（角振動数４ω）に変換され、出力窓（３４）からレーザ光が出力される。
【００２５】
図４に示すように構成された非線形光学結晶ユニット（ＮＬＵ）のセル本体を、ステンレスで構成する。ステンレスに表面処理を施していない例と、セル内壁を電界研磨した例と、フッ素樹脂をセル内壁に被着させた例について、セル内相対湿度の変化を図８に示す。それぞれの表面状態のセル各３個を、グローブ付真空装置内（ドライ窒素雰囲気）で組み立てる。恒温槽内で、環境の相対湿度（温度一定）を変化させて、セル内湿度の変化（セル内の湿度センサー５１より測定）を比較したものである。相対湿度が０％以下のデータは、信号変換回路の誤差によるものであり、限りなく０％に近いことを示す。図８中、横軸は時間（ｔ：ｍｉｎ）を示しており、縦軸は相対湿度（ＲＨ：％）と温度（Ｔ：℃）を示す。図８中のそれぞれの曲線を線形近似したところ、下記のようになった。
【００２６】
ＲＨ％＝０．００３３２ｔ−２．８５４１（セル１：セル内表面処理なし）
ＲＨ％＝０．００２３８ｔ−１．２６３６（セル２：セル内表面処理なし）
ＲＨ％＝０．００１８８ｔ−２．７５５２（セル３：セル内表面処理なし）
ＲＨ％＝０．０１２８３ｔ−２．４３０５（セル４：セル内表面電解研磨）
ＲＨ％＝０．００３８０ｔ−２．６０２３（セル５：セル内表面電解研磨）
ＲＨ％＝０．００３７４ｔ−１．７３０２（セル６：セル内表面電解研磨）
ＲＨ％＝０．０００３０ｔ−１．７０１１（セル７：セル内表面撥水処理）
ＲＨ％＝０．０００３４ｔ−２．５６２２（セル８：セル内表面撥水処理）
ＲＨ％＝０．０００１５ｔ−０．３８７３（セル９：セル内表面撥水処理）
【００２７】
セル４は、湿度上昇が著しく、Ｏリングの不備（埃の付着、蓋の不均等閉めによる歪み）により、気密が保たれていないと思われるため、比較データから除外した。その他のセルの湿度上昇速度を示す直線の傾きを比較してみると、セル７，８，９（セル内表面撥水処理のもの）は、０．０００３０％／ｍｉｎ，  ０．０００３４％／ｍｉｎ，  ０．０００１５％／ｍｉｎであり、その他のセルに比べて１／１０程度である。時間経過による湿度上昇が非常に緩やかであった。例えば、セル７（セル内表面撥水処理のもの）は、約５０日間経過したとしても、相対湿度を２０％以下に保てることがわかる。また約７３日間経過したとしても、相対湿度を３０％以下に保てることがわかる。一方、セル１（セル内表面処理なし）は約５日間、セル５（セル内表面電界研磨のもの）は約４日間で、相対湿度２０％に達することが理解されよう。また、セル１（セル内表面処理なし）は約７日間、セル５（セル内表面電界研磨のもの）は約６日間で、相対湿度３０％に達することが理解されよう。以上の結果より、セル内表面に撥水処理を施すことにより、水分の吸着を抑制し、長期にわたりセル内の湿度を３０％以下に保つことが可能である。さらに、２０％以下に保つことも可能である。
【００２８】
非線形光学結晶ユニット（ＮＬＵ）に湿度センサー（５１）を配設したため、レーザ装置の使用者は、非線形光学結晶ユニット（ＮＬＵ）内の湿度を湿度計（５６）で監視することができる。不測の事態により、湿度が所定値（例えば、３０％或いは２０％）以上に変化したなら、手動で、あるいは自動的に、スイッチ（５７）を開放し、レーザ発振を停止させることができる。湿度センサー（５１）は、レーザ光の通路を遮らない媒質内に配置されているため、レーザ装置の使用に何ら支障をきたすものでない。湿度センサー（５１）は、ガラス基板上に蒸着されている電気容量型湿度センサーであるため、高耐久性である。セル本体（４０）の開口部（４６）を介して、湿度センサー（５１）をセル本体（４０）に設置することができる。湿度センサー（５１）と湿度検出回路基板（５３）を、セル蓋体（５０）に配設しているため、蓋体を取り付ける際に一挙に、センサーをユニットの適切な位置に固定できる。これらの部品の点検作業も容易である。
【００２９】
上記のように、本発明の実施の形態では、非線形光学結晶セル内面を撥水性の樹脂で処理したため、セル内の湿度を極めて低い値に保つことができる。そのため、非線形光学結晶の潮解性によるダメージを実質的に回避できる。長期にわたり一定した波長変換効率を確保でき、安定した高調波パワーを得ることができる。
【００３０】
【発明の効果】
以上の説明から明らかなように、本発明では、レーザ光源から発せられたレーザ光の基本波から高調波を発生する非線形光学結晶を備えたレーザ装置に、非線形光学結晶が内部に配設されたセルであって、密閉されて内部表面に撥水処理が施され、レーザ光が通過する貫通孔と、貫通孔を覆う窓とを有するセルを備えた構成とした。このように構成したことにより、レーザ装置は、長期にわたり安定した状態でレーザ発振できる。非線形光学結晶セルを密封構造とすることにより、非線形光学結晶を外気と隔離してドライな雰囲気に保つため、結晶の潮解を防ぎ、損傷を低減することができる。
【００３１】
非線形光学結晶を封入したセル内壁を撥水性の皮膜で覆ったことにより、皮膜表面に付着する水分子の量を最小限に抑えることができる。したがって、長時間にわたってセル内表面から脱離する水分子の量が少なくなり、セル内の相対湿度の上昇を抑えることが可能である。そのため、非線形光学結晶を常にドライな状態に保つことができ、非線形光学結晶の潮解を防ぎ、長期にわたり安定したレーザ発振可能なレーザ装置及びレーザ波長変換装置を実現できる。
【図面の簡単な説明】
【図１】本発明の実施の形態におけるレーザ装置の概略側面図、
【図２】本発明の実施の形態におけるイントラキャビティー第２高調波レーザ装置の概略図、
【図３】本発明の実施の形態におけるイントラキャビティー第３、第４高調波レーザ装置の概略図、
【図４】本発明の実施の形態におけるレーザ装置に用いる非線形光学結晶セルの概略断面図、
【図５】本発明の実施の形態におけるレーザ装置に用いる非線形光学結晶セルの一部拡大図、
【図６】本発明の実施の形態におけるレーザ装置に用いる非線形光学結晶セルの蓋体概略断面図、
【図７】本発明の実施の形態におけるレーザ装置に用いる湿度測定手段の概略ブロック図、
【図８】本発明の実施の形態におけるレーザ装置に用いる非線形光学結晶セル内湿度の経時変化を示すグラフである。
【符号の説明】
１，２  （基本波レーザ共振器の）ミラー
３  ポンピングチャンバーユニット
４  Ｑスイッチ
５  ブリュースター板
６  シャッター
７  第１の集光レンズ
８ａ，８ｂ，８ｃ，８ｄ  ヒーター
９  温度センサー
１０  折り返しミラー
１１  （基本波ユニット）ケース
１２  （基本波ユニット）蓋体
１３  （基本波ユニット）容器
２０  第１の非線形光学結晶ユニット
２１  第２の集光レンズ
２２  （基本波と第２高調波を分離する）分離ミラー
２３  （第２高調波の）出力窓
２４  第１波長変換ユニットケース
３０  第２の非線形光学結晶ユニット
３１  コリメートレンズ
３２  （第２高調波と第４高調波を分離する）分離ミラー
３３  （第３あるいは第４高調波）パワーメータ
３４  （第３あるいは第４高調波）出力窓
３５  第２波長変換ユニットケース
４０  （非線形光学結晶セルの）セル本体
４１  （非線形光学結晶の）設置台
４２  貫通穴
４３  非線形光学結晶
４４  （非線形光学）結晶押え
４５  ヒーター
４６  （セル本体の）開口部
５０  （非線形光学結晶）セル蓋体
５１  湿度センサー
５２  ハーメチックシール端子
５３  湿度検出回路基板
５４  セル蓋体の凹部
５５  湿度検出増幅回路
５６  湿度計
５７  スイッチ
５８  レーザ制御部
６０ａ，６０ｂ  （非線形光学結晶セル）窓
７０ａ，７０ｂ  （非線形光学結晶セル）窓押え
８０ａ，８０ｂ，８０ｃ，８０ｄ，８０ｅ  Ｏリング
９０ａ，９０ｂ  （撥水性の）皮膜
【図１】
2004317566.tif 000003
【図２】
2004317566.tif 000004
【図３】
2004317566.tif 000005
【図４】
2004317566.tif 000006
【図５】
2004317566.tif 000007
【図６】
2004317566.tif 000008
【図７】
2004317566.tif 000009
【図８】
2004317566.tif 000010